(57)【特許請求の範囲】
【請求項１】
複数の画像が略左右方向に配置されてなる画像群を、ディスプレイに表示する表示手段と、
隣接する各々の前記画像の間隔を拡大するように前記画像を移動する移動手段と、
を備え、
前記表示手段は、前記ディスプレイの表示幅に対して表示可能な限りの数の前記画像を表示し、
いずれの前記画像も、隣接する前記画像との間で裸眼立体視が可能な画像であることを特徴とする表示制御装置。
【請求項２】
前記表示手段は、前記画像群を上下方向に多段的に複数表示することを特徴とする請求項１に記載の表示制御装置。
【請求項３】
前記表示手段は、各々の前記画像群を時間をずらして順番に表示することを特徴とする請求項２に記載の表示制御装置。
【請求項４】
前記移動手段は、前記画像を、前記間隔が最大で略瞳孔間距離に至るまで移動することを特徴とする請求項１乃至３のいずれか１項に記載の表示制御装置。
【請求項５】
前記間隔は、最小で略瞳孔間距離の１／２であることを特徴とする請求項１乃至４のいずれか１項に記載の表示制御装置。
【請求項６】
前記表示手段は、更に、前記ディスプレイ全面に網目模様の画像を表示することを特徴とする請求項１乃至５のいずれか１項に記載の表示制御装置。
【請求項７】
前記間隔の拡大に併せて、前記画像を縮小化する手段を備えたことを特徴とする請求項１乃至６のいずれか１項に記載の表示制御装置。
【請求項８】
前記表示手段は、更に、背景画像を表示し、前記間隔の拡大に併せて、前記画像の色彩を当該背景画像の色彩に近づける手段を備えたことを特徴とする請求項１乃至５及び７のいずれか１項に記載の表示制御装置。
【請求項９】
前記表示手段は、前記画像を徐々に表示し、また、前記間隔が予め設定した間隔を超えた場合に、当該画像を徐々に消滅させることを特徴とする請求項１乃至８のいずれか１項に記載の表示制御装置。
【請求項１０】
表示制御のために、コンピュータを、
複数の画像が略左右方向に配置されてなる画像群を、ディスプレイに表示する表示手段、
隣接する各々の前記画像の間隔を拡大するように前記画像を移動する移動手段、
として機能させるためのプログラムであって、
前記表示手段は、前記ディスプレイの表示幅に対して表示可能な限りの数の前記画像を表示し、
いずれの前記画像も、隣接する前記画像との間で裸眼立体視が可能な画像であることを特徴とするプログラムを記録した記憶媒体。
【請求項１１】
前記表示手段は、前記画像群を上下方向に多段的に複数表示することを特徴とする請求項１０に記載の記憶媒体。
【請求項１２】
前記表示手段は、各々の前記画像群を時間をずらして順番に表示することを特徴とする請求項１１に記載の記憶媒体。
【請求項１３】
前記移動手段は、前記画像を、前記間隔が最大で略瞳孔間距離に至るまで移動することを特徴とする請求項１０乃至１２のいずれか１項に記載の記憶媒体。
【請求項１４】
前記移動手段による移動前の前記間隔は、略瞳孔間距離の１／２であることを特徴とする請求項１０乃至１３のいずれか１項に記載の記憶媒体。
【請求項１５】
前記表示手段は、更に、前記ディスプレイ全面に網目模様の画像を表示することを特徴とする請求項１０乃至１４のいずれか１項に記載の記憶媒体。
【請求項１６】
前記プログラムが、コンピュータを、前記間隔の拡大に併せて、前記画像を縮小化する手段として機能させるためのプログラムを含むことことを特徴とする請求項１０乃至１５のいずれか１項に記載の記憶媒体。
【請求項１７】
前記表示手段は、更に、背景画像を表示し、前記プログラムが、コンピュータを、前記間隔の拡大に併せて、前記画像の色彩を当該背景画像の色彩に近づける手段として機能させるためのプログラムを含むことを特徴とする請求項１０乃至１４及び１６のいずれか１項に記載の記憶媒体。
【請求項１８】
前記表示手段は、前記画像を徐々に表示し、また、前記間隔が予め設定した間隔を超えた場合に、当該画像を徐々に消滅させることを特徴とする請求項１０乃至１７のいずれか１項に記載の記憶媒体。
【発明の詳細な説明】
【０００１】
【発明の属する技術分野】
本発明は、ディスプレイに特定の画像を表示する表示制御装置に関し、詳細には、長時間の視聴等に起因する眼の緊張を緩和するための画像を表示する表示制御装置に関する。
【０００２】
【従来の技術】
職場へのパーソナルコンピュータの普及や、家庭へのゲーム機の普及等が進んだ現代では、ディスプレイを長時間視聴する傾向が強くなっており、眼は極度の緊張を強いられている。そして、この眼の負担に起因して生じる頭痛、肩こり、眼精疲労、視力低下等が社会問題化している。
そこで、係る実情に鑑み、眼の緊張の緩和、更には、視力の回復を図るための装置が提案されている。
【０００３】
例えば、特開平６−１４２８３号には、表示画面の位置が緩やかに変動するディスプレイ装置が提案されている。
また、特開平７−５１３３３号には、画像表示器上の点、図形若しくは表示色を適宜移動、変形等する視力トレーニング装置が提案されている。
また、特開平９−２０１３８７号には、表示画面を３次元配置する視覚機能向上表示システムが提案されている。
また、特開平１０−１５００４号には、画像表示上の図形群を集合、離散させ、或いは、その背景色若しくはその図形群の色を変化させる視力訓練装置が提案されている。
また、特開平１０−４９１２６号には、主として表示画像の色彩に特徴のある眼精疲労の回復機能付きディスプレイ制御装置が提案されている。
【０００４】
【発明が解決しようとする課題】
このように、眼の緊張緩和等を促進する装置は種々提案されている。
しかし、いずれの場合も、仕事の合間若しくは遊戯の合間等に行うものとしては、操作が煩雑であったり、時間が余りにもかかり過ぎて、現実の利用には不都合な場合がある。また、表示される画像が面白味に欠けるという問題もある。
【０００５】
従って、本発明の目的は、簡単に楽しく実施でき、かつ、眼の緊張緩和に好適な表示制御装置を提案することにある。
【０００６】
【課題を解決するための手段】
本発明者は、ある特定の画像を表示することにより、これを眺めた者の眼の緊張緩和の効果が高いことに着目し、以下の発明を提案する。すなわち、本発明によれば、複数の画像が略左右方向に配置されてなる画像群を、ディスプレイに表示する表示手段と、隣接する各々の前記画像の間隔を拡大するように前記画像を移動する移動手段と、を備え、前記表示手段は、前記ディスプレイの表示幅に対して表示可能な限りの数の前記画像を表示し、いずれの前記画像も、隣接する前記画像との間で裸眼立体視が可能な画像であることを特徴とする表示制御装置が提供される。
【０００７】
この手段において、前記画像は、隣接する前記画像との間で裸眼立体視が可能な画像であるので、ユーザは、隣接するいずれか２つの前記画像を、左眼と右眼とで別々に見ると、当該２つの画像が融合された立体画像がディスプレイよりも遠くに（奥に）仮想的に見えることとなる。この時、ユーザの眼は、現実に遠くのものを見ている場合と同じ状態になり、遠くを見ることにより眼の疲れが取れると昔から言われるように、眼の緊張が緩和される。更に、前記画像は、各々の前記画像の間隔を拡大するように移動するため、ユーザは立体画像を次第により遠くに見ることとなり、眼の緊張緩和が一層促進される。更に、ディスプレイの表示幅に対して可能な限りの数の前記画像が配置されることで、ユーザはディスプレイの画面全体を見ることとなり、一点に視点が集中しないので、眼の緊張緩和を一層促進するという利点がある。更に、前記画像の数が多いと別の利点もある。裸眼立体視をすると、立体画像の両端に立体画像ではない、普通の画像が必ず見えることとなる。例えば、２つの画像を裸眼立体視すると、１つの立体画像が真中に見え、更に、その左右に普通の画像が見える。この普通の画像は、時として不快なものであるが、前記画像群を構成する前記画像が例えば４つ以上あれば、これがほとんど気にならないという利点もある。
【０００８】
その一方で、ユーザは、ディスプレイに表示される画像を眺めるだけであるから取り扱いが簡単で、しかも、裸眼立体視をすることで退屈さも軽減され、むしろ面白味が生じる。
従って、本発明は、簡単に楽しく実施でき、かつ、眼の緊張緩和に好適であるという効果を奏する。
【０００９】
また、本発明によれば、表示制御のために、コンピュータを、ディスプレイに、複数の画像が略左右方向に配置されてなる画像群を表示する表示手段、隣接する各々の前記画像の間隔を拡大するように前記画像を移動する移動手段、として機能させるためのプログラムであって、前記表示手段は、前記ディスプレイの表示幅に対して表示可能な限りの数の前記画像を表示し、いずれの前記画像も、隣接する前記画像との間で裸眼立体視が可能な画像であることを特徴とするプログラムを記録した記憶媒体が提供される。
【００１０】
【発明の実施の形態】
本発明は、パーソナルコンピュータ、ゲーム専用機、若しくは、テレビモニター等に対して適用することもできる。
本発明において、裸眼立体視可能な画像とは、視差を与えた画像を意味し、特に、いわゆる平行法により人間が裸眼立体視できる画像を対象とする。
【００１２】
また、前記略左右方向に配置するとは、ユーザの左右の眼と略平行な方向に前記画像を配置する意味である。人間の左右の眼と略平行に配置されていなければ当該画像を裸眼立体視はできないからである。尤も、多くの場合は、略水平方向であるということができる。
更に、前記画像群を構成する各々の前記画像の間隔は、均等でも不均等でもよい。また、前記画像の移動の速度は、人間の眼が追従できる速度であればいずれでもよいが、好ましい速度として略０．３ｍｍ／ｓを挙げることができる。
【００１３】
本発明において、前記表示手段は、前記画像群を複数表示することもできる。前記画像群を複数表示することにより視点の集中を防止し、眼の緊張緩和を促進することができる。複数表示する場合としては、例えば、前記画像群を上下方向に多段的に配置することができる。
前記画像群を複数表示する場合、前記表示手段は、各々の前記画像群を全て同時に表示するのではなく、時間をずらして順番に表示することもできる。このように表示に変化を与えることにより、ユーザの興味を引くことができ、楽しみながら眼の緊張緩和を成し得る。時間をずらして順番に表示するとは、例えば、一つずつ又は複数ずつ表示して最終的に全ての前記画像群を表示する場合のほか、表示される前記画像群が増加するに従って、始めに表示した前記画像群を順番に消滅するようにしてもよい。
【００１４】
また、本発明においては、前記画像を前記画像群単位で移動する手段を備えてもよい。表示に変化を与えることにより、ユーザの興味を引くことができ、また、眼球の運動量が高くなるのでその周辺の筋肉をほぐすこともできる。移動は、上下方向、左右方向、或いは、斜め方向に移動させてもよく、更に、揺動させてもよい。
【００１５】
また、本発明においては、前記表示手段を予め設定した条件に従って自動的に起動することもできる。すなわち、いわゆるスクリーンセーバの如く表示させることにより、眼の緊張緩和にあまり注意を払っていないユーザに対しても、これを思い起こさせ、本発明の装置の利用を促進せしめる。前記条件としては、一定の時間、又は、無操作の時間、を挙げることができ、ユーザが設定するようにしてもよい。
【００１６】
また、本発明において、前記移動手段は、前記画像を、前記間隔が最大で略瞳孔間距離に至るまで移動することができる。裸眼立体視は、２つの画像が略瞳孔間距離を越えて配置されるとほとんど不可能となるからである。従って、前記間隔が略瞳孔間距離になった場合は、移動を停止するか、若しくは、当該画像を消滅するようにしてもよい。
一方、前記移動手段による移動前の前記間隔、すなわち前記間隔の最小は、略瞳孔間距離の１／２とすることができる。裸眼立体視は、２つの画像が略瞳孔間距離の１／２より狭く配置されるとほとんど不可能となるからである。
ここでいう瞳孔間距離とは、ユーザの左眼と右眼との間を意味し、ユーザが個別に設定できるようにすることもできるが、平均的には略６ｃｍであるので、装置側で一律に６ｃｍと取り扱うこともできる。
【００１７】
また、本発明において、前記表示手段は、更に、別の静止画像を表示することもできる。当該静止画像とのコントラストにより、裸眼立体視により融合された立体画像の奥行き感が誇張され、より遠くを見ているような感覚を生じさせ、眼の緊張緩和を促進する。
ここで、前記静止画像が、裸眼立体視可能な一対の静止画像、若しくは、前記ディスプレイ全面に表示される網目模様の静止画像、を含むこともできる。網目模様の画像を表示すると、裸眼立体視が苦手なユーザにとっても、これが比較的容易になるという利点がある。
【００１８】
また、本発明においては、前記表示手段と前記移動手段とを、繰り返し実行させるための反復実行手段を備えてもよい。反復して、前記画像を裸眼立体視することにより、ユーザの眼の緊張緩和が促進される。
【００１９】
また、本発明においては、前記間隔の拡大に併せて、前記画像を縮小化する手段を備えてもよい。前記画像を縮小化することにより、裸眼立体視により融合された立体画像の奥行き感が誇張され、より遠くを見ているような感覚を生じさせ、眼の緊張緩和を促進する。
【００２０】
また、本発明においては、前記間隔の拡大に併せて、前記画像を変形する手段を備えてもよい。前記画像を変形させることにより、ユーザの興味を引くことができ、楽しみながら眼の緊張緩和を成し得る。
【００２１】
また、本発明においては、前記間隔の拡大に併せて、前記画像の色彩の濃度を変化させる手段を備えてもよい。この場合も、ユーザの興味を引くことができ、楽しみながら眼の緊張緩和を成し得る。
【００２２】
また、本発明においては、前記表示手段が、更に、背景画像を表示し、前記間隔の拡大に併せて、前記画像の色彩を当該背景画像の色彩に近づける手段を備えてもよい。この場合も、ユーザの興味を引くことができ、楽しみながら眼の緊張緩和を成し得る。
【００２３】
また、本発明においては、音楽を発する手段を備えてもよい。音楽を聴きながら表示を眺めることにより、ユーザにリラックス感を与え、間接的に眼の緊張緩和を促進する。
【００２４】
また、本発明においては、前記表示手段は、前記画像を徐々に表示し、また、前記間隔が予め設定した間隔を超えた場合に、当該画像を徐々に消滅させることもできる。前記画像が急に表示等されることにより、逆にユーザの眼の緊張感を煽る場合があるため、これを防止するものである。
【００２５】
以下、図面を参照して本発明の好適な実施の形態を詳細に説明する。
図１は、本発明の実施の形態に係る表示制御装置の概略構成を示すブロック図である。
表示制御装置は、ＣＰＵ１と、ディスプレイ２と、キーボード／マウス３と、ＲＯＭ４と、ＲＡＭ５と、記憶装置６と、システムバス７と、を備える。
ディスプレイ２は、この表示制御装置で実行される処理を表示し、特に、裸眼立体視が可能な画像を表示するものであるが、特殊な構成は必要無く、例えば、ＣＲＴ、液晶ディスプレイ等を挙げることができる。
キーボード／マウス３は、ユーザーが命令等を入力するためのものである。
【００２６】
ＲＯＭ４は、ＣＰＵ１が実行するためのプログラムが記憶されている。
ＲＡＭ５は、ＣＰＵ１が一時的にデータを格納するためのものである。
記憶装置６は、ハードディスク、ＦＤディスク、又は、ＣＤ‐ＲＯＭディスク等である。ここには、ディスプレイ２に表示するための画像のデータ等を保存することができる。
ＣＰＵ１は、上記各構成をシステムバス７を介して制御し、また、ＲＯＭ４又は記憶装置６に記憶されたプログラムに従って、上述した各手段（表示手段、移動手段等）として機能し、図２のフローチャートに示す処理を実行する。
以下、係る処理について説明する。
【００２７】
ステップＳ１では、ユーザが眼の緊張緩和のための裸眼立体視可能な画像（以下、立体視画像ともいう。）の表示形式等のための設定を選択したか否かを判定する。設定を選択した場合は、ステップＳ２へ進み、後述する設定処理を行う。設定を選択しなかった場合は、ステップＳ３へ進む。
【００２８】
ステップＳ３では、立体視画像の表示が選択されたか否かが判定される。この選択は、ユーザのキーボード／マウス３からの入力による場合と、ＣＰＵ１が所定の条件、例えば経過時間、に従って自動的に選択した場合と、が含まれる。
選択された場合は、ステップＳ４へ進み、選択されなかった場合はステップＳ７へ進む。
ステップＳ７では、立体視画像の表示以外のその他の処理、例えば、アプリケーションプログラムの実行等を行い、その後ステップＳ１へ戻る。
【００２９】
ステップＳ４では、立体視画像を表示する形式を決定すべく、ステップＳ２で設定された内容を読み込む。
ステップＳ５では、ディスプレイ２に眼の緊張緩和のための立体視画像を表示する。表示後、ステップＳ６へ進み、繰り返し表示するか否かを判定する。立体視画像の表示を終了と判定された場合は、ステップＳ１へ戻り、繰り返し表示すると判定された場合は、ステップＳ５に戻る。
【００３０】
次に、ステップＳ５においてディスプレイ２に表示される立体視画像について説明する。図３は、ディスプレイ２で表示される画像を、説明の便宜のため、簡略化して図示したものである。
図３（ａ）では、何も表示されていない。
図３（ｂ）では、７つの立体視画像１０ａからなる一つの画像群１０が表示されている。なお、ここでの立体視画像１０ａは、便宜上、円に抽象されて表されている（以下、他の例でも同様である。）。
【００３１】
この７つの立体視画像１０ａは、本来的にはそれぞれ隣接する画像との間で裸眼立体視が可能な平面的な画像であり、画面の左右方向（水平方向）に直線的に配置されている。
具体的には、この７つの立体視画像１０ａは、少しずつ視差を変えた画像であり、そのような視差を変えた図の例を図４に示す。
【００３２】
図４は、立方体の平面図形を少しずつ視差を変えて表した７つの図形である。この７つの図のうちの一つの図を左眼で見て、その右隣の図を右眼で見るようにすると（いわゆる平行法）、隣接する各図が融合して、図形が立体図形として見える。ちなみに、図４の図を立体視すると、立体図形は６つ見えるはずであり、更に、両端を良く見ると立体図形でない図形がそれぞれ１つづつ見えるはずである。この際、立体図形は、紙面よりも奥行きの深い位置に見えるはずである。
すなわち、図３（ｂ）において、立体視画像１０ａをユーザーが裸眼立体視すれば、ディスプレイ２の画面よりも奥行きの深い位置にその立体画像が融合することとなり、ユーザーはあたかも遠方を眺めているように錯覚する。この結果、眼の緊張が緩和される。
【００３３】
次に、図３（ｃ）は、７つの立体視画像１０ａを移動している途中を表している。
立体視画像１０ａは、それぞれ隣接する他の立体視画像１０ａとの間隔を拡大するように連続的に移動される。すると、これらの立体視画像１０ａを裸眼立体視する者にとっては、各立体視画像１０ａにより融合される立体画像がより奥行き深い位置に移動するように錯覚する。これを図５により説明する。なお、この図３（ｃ）の画面では両端に位置していた２つの立体視画像１０ａは、ディスプレイ２の画面に収まりきれないために消滅している。
【００３４】
図５において、「眼」とあるのは、ユーザの左右の眼である。また、「ディスプレイ２の画面」には、立体視画像１０ａが２つ表示されている。そして、この２つの立体視画像１０ａを裸眼立体視すると立体画像１０ｂが見えるものとする。ここで、２つの立体視画像１０ａが、相互の間隔を拡大するように矢印の方向へそれぞれ１０ａ’まで移動したとする。すると、ユーザの左右の目がそれに追従して外転するため、立体画像１０ｂは１０ｂ’の位置で融合されることとなり、ユーザにとっては、立体画像１０ｂがあたかもディスプレイ２の画面の奥行き方向に移動したように感じられて、更に、遠方を眺めているように錯覚する。この結果、眼の緊張緩和が一層促進されることとなる。
【００３５】
次に、図３（ｄ）では、立体視画像１０ａが更に移動した状態を表している。図３（ｅ）では、立体視画像１０ａが消滅した状態を表している。
以上により、眼の緊張緩和のための画像の表示は終了する。なお、これら一連の表示を１サイクルとして、これを反復してもよい。また、各立体視画像１０ａの移動時における座標の決定方法等については後述する（＜立体視画像の移動について＞欄）。
【００３６】
以下、ディスプレイ２の画面の表示例を列挙して説明する。
図６（ａ）乃至（ｅ）の表示例は、立体視画像をその移動に伴って縮小化して表示する例である。
図６（ａ）では、何も表示されず、図６（ｂ）で、７つの立体視画像１１ａからなる一つの画像群１１が表示されている。図６（ｃ）では、各立体視画像１１ａの間隔が拡大しつつあり、更に、各々の立体視画像１１ａが徐々に相似的に縮小化している。図６（ｄ）では、画像１１ａ間の間隔が更に広がりつつ、立体視画像１１ａが更に縮小化している。図６（ｅ）では、立体視画像１１ａが消滅している。
このように立体視画像１１ａが縮小化すると、融合される立体画像がより奥行き方向へ移動したように感じて、遠方を眺めているように錯覚し、眼の緊張緩和が一層促進される。
【００３７】
図７（ａ）乃至（ｅ）の表示例は、図６の表示例の如く立体視画像を縮小化するものであるが、立体視画像間の間隔を当初から均等にせず、ばらつきを持たせたものである。
【００３８】
図７（ａ）では、何も表示されず、図７（ｂ）では、７つの立体視画像１２ａからなる一つの画像群１２が表示されている。立体視画像１２ａ間の間隔は一律ではなく、間隔が広いところと狭いところとがある。図７（ｃ）では、各立体視画像１２ａの間隔が広がりつつ、各立体視画像１２ａが縮小化している。なお、この例では、間隔が広い、狭いに関わらず、広がる割合は同じである。
図７（ｄ）では、更に間隔が広がりつつ、立体視画像が縮小化している。図７（ｅ）では、立体視画像が消滅している。
このように立体視画像間の間隔を不均等とすることにより、表示に面白味を出すことができる。
【００３９】
図８（ａ）乃至（ｅ）の表示例は、図６の表示例の如く立体視画像を縮小化するものであるが、画像群を画像群単位で上方へ移動させるものである。
【００４０】
図８（ａ）では、何も表示されず、図８（ｂ）では、７つの立体視画像１３ａからなる一つの画像群１３が表示されている。図８（ｃ）では、各立体視画像１３ａの間隔が広がりつつ、立体視画像１３ａが全体として、すなわち画像群１３単位で上方へ移動している。図８（ｄ）は、更に間隔が広がりつつ、画像群１３が上方へ移動している態様を示している。図８（ｅ）では、立体視画像１３ａが消滅している。
【００４１】
このように画像群を動かすことにより、ユーザの眼に緊張を与えない範囲で当該ユーザの退屈さを軽減させることができる。なお、画像群の移動は、上下方向の他に、左右方向、斜め方向、若しくは、揺動させてもよい。
【００４２】
図９（ａ）乃至（ｅ）の表示例は、図６の表示例の如く立体視画像を縮小化するものであるが、その際、立体視画像を変形するものである。また、立体視画像の色も変えるものでもある。
【００４３】
図９（ａ）では、何も表示されず、図９（ｂ）では、７つの立体視画像１４ａからなる一つの画像群１４が表示されている。図９（ｃ）では、各立体視画像１４ａの間隔が広がりつつ、円形であった立体視画像１４ａが楕円形に変形している。なお、楕円形になっても立体視可能な図形であることには変わりがない。図９（ｄ）では、更に間隔が広がりつつ、立体視画像１４ａの変形が進み、より細長い楕円形になっている。図９（ｅ）では、立体視画像１４ａの色も変色している。図９（ｆ）では、立体視画像１４ａは消滅している。
このように立体視画像を変形することにより、ユーザの退屈さを軽減させることができる。
【００４４】
図１０（ａ）乃至（ｆ）の表示例は、立体視画像の色彩の濃度を変化させるものである。
図１０（ａ）では、何も表示されず、図１０（ｂ）で７つの立体視画像１５ａからなる一つの画像群１５が表示されている。図１０（ｃ）では、各立体視画像１５ａの間隔が広がりつつあり、図１０（ｄ）では、更に間隔が広がりつつある。図９（ｅ）では、各立体視画像１５ａの色が変色している。図１０（ｆ）では、立体視画像１５ａは消滅している。
【００４５】
このように立体視画像の色彩の濃度を変化させることにより、ユーザの退屈さを軽減することができる。なお、色彩の濃度を変化させる以外に、色彩自体を変化させてもよく、特に、画面の背景色に徐々に変化するようにすることもできる。
【００４６】
図１１（ａ）乃至（ｅ）の表示例は、図６の表示例の如く立体視画像を縮小化するものであるが、複数の画像群を表示するものであり、しかも、当該画像群を時間をずらして順番に表示するものである。
【００４７】
図１１（ａ）では、何も表示されず、図１１（ｂ）では、７つの円形の立体視画像１６ａからなる一つの画像群１６が表示されている。図１１（ｃ）では、この画像群１６の各立体視画像１６ａ間の間隔が広がりつつ、各立体視画像１６ａが縮小化している。図１１（ｄ）では、円形の画像群１６は，より小さくなっているが、更に、７つの四角の立体視画像１７ａからなる一つの画像群１７が表示されている。すなわち、画像群が多段的に表示されている。
【００４８】
図１１（ｅ）では、画像群１６は消滅しており、画像群１７の各立体視画像１７ａ間の間隔が広がりつつ、各立体視画像１７ａが縮小化しており、更に、７つの六角形の立体視画像１８ａからなる一つの画像群１８が表示されている。図１１（ｆ）では、各立体視画像１７ａ間及び各立体視画像１８ａ間の間隔が広がりつつ、各立体視画像１７ａ及び１８ａが縮小化している。
【００４９】
このように表示に変化を与えることにより、ユーザの興味を引くことができ、楽しみながら眼の緊張緩和を成し得る。なお、この表示例では、立体視画像１６ａを消滅することとしたが、縮小化したまま残してもよい。
【００５０】
図１２（ａ）乃至（ｅ）の表示例は、図１１の表示例の如く複数の画像群を多段的に表示するものであるが、静止画像をも表示するものである。
【００５１】
図１２（ａ）では、複数のひし形の静止画像１９だけが表示されている。
図１２（ｂ）では、ひし形の静止画像１９と共に７つの円形の立体視画像２０ａからなる画像群２０が表示されている。図１２（ｃ）では、この画像群２０の各立体視画像２０ａの間隔が広がりつつ、立体視画像２０ａが縮小化しているが、ひし形の静止画像１９はそのままであり、この後も同様である。図１２（ｄ）では、円形の画像群２０はより小さくなっているが、更に、７つの四角の立体視画像２１ａからなる画像群２１が表示されている。
【００５２】
図１２（ｅ）では、画像群２０は消滅しており、画像群２１の各立体視画像２１ａ間の間隔が広がりつつ、各立体視画像２１ａが縮小化しており、更に、７つの六角形の立体視画像２２ａからなる一つの画像群２２が表示されている。図１２（ｆ）では、各立体視画像２１ａ間及び各立体視画像２２ａ間の間隔が広がりつつ、各立体視画像２１ａ及び２２ａが縮小化している。いずれの場合も、静止画像１９に変化はない。
【００５３】
このように静止画像を表示すると、立体視してできる立体画像の奥行き感を一層強く感じることができる。
【００５４】
図１３は、静止画像として、ディスプレイ２の画面全体に網目の画像を表示したものである。
【００５５】
図１３（ａ）では、網目の静止画像２３のみが表示されている。図１３（ｂ）では、７つの立体視画像２４ａからなる画像群２４が表示されている。図１３（ｃ）では、各立体視画像２４ａ間の間隔が広がりつつ、各立体視画像２４ａが縮小化している。静止画像２３に変化はない。図１３（ｄ）では、各立体視画像２４ａが相当小さくなっており、図１３（ｅ）では、消滅している。網目の静止画像２３には変化はない。
【００５６】
このような網目の静止画像があると、一般的に立体視画像の融合、すなわち、裸眼立体視がやりやすくなるという利点がある。
以上、ディスプレイ２の表示例を述べたが、各表示例における特徴をそれぞれ併用してもよいことは言うまでない。
【００５７】
＜立体視画像の移動について＞
各立体視画像の移動は、いずれかの立体視画像を基点として他の立体視画像の座標を逐次変換することにより行うことができる。図１４は、立体視画像の移動を説明するための図である。
【００５８】
図１４において、画面幅とは、ディスプレイ２の水平方向の表示幅を表しており、フレーム１乃至４は、移動中の立体視画像の各表示を表している。また、楕円形で表しているのが、立体視画像である。
フレーム１は、移動前の各立体視画像の位置を示しており、左から２番目の立体視画像が基点（座標ｘ）となっている。各立体視画像間の間隔は、「ｄ」である。
【００５９】
フレーム２は、各立体視画像間の間隔が、「ｄ＋ｅ」となるまで各立体視画像を移動した状態を示している。この場合、基点である左から２番目の立体視画像は移動しない。基点以外の各立体視画像のｘ座標は、「ｎ×ｅ」（ｎ：基点からの番号、以下同じ。）だけ加減算されている。また、右端の立体視画像は、その一部が既にディスプレイ２に表示されていない状態にある。
フレーム３は、各立体視画像間の間隔が、「ｄ＋２ｅ」となるまで各立体視画像を移動した状態を示している。基点以外の各立体視画像のｘ座標は、初期の位置より「ｎ×２ｅ」だけ加減算されている。また、右端の立体視画像は、その大部分が、更に、左端の立体視画像は、その一部が、ディスプレイ２に表示されていない状態にある。
【００６０】
フレーム４は、各立体視画像間の間隔が、「ｄ＋３ｅ」となるまで各立体視画像を移動した状態を示している。基点以外の各立体視画像のｘ座標は、初期の位置より「ｎ×３ｅ」だけ加減算されている。また、右端の立体視画像はディスプレイ２に完全に表示されていない状態にある。
以下、同様の手順で、各立体視画像間の間隔が所定の間隔に至るまで、各立体視画像が移動される。
【００６１】
次に、各立体視画像を全体として移動しながら、かつ、各立体視画像間の間隔を広げるように移動することについて、図１５により説明する。図１５は、図１４と同様の立体視画像の移動を説明するための図である。
各立体視画像間の間隔を広げるように各立体視画像を移動しながら各立体視画像を全体として移動するためには、図１４と同様の処理をしつつ、基点の位置を移動すればよい。
【００６２】
図１５において、フレーム１は、移動前の各立体視画像の位置を示しており、左から１番目の立体視画像が基点（座標ｘ）となっている。各立体視画像間の間隔は、「ｄ」である。
フレーム２は、各立体視画像間の間隔が、「ｄ＋ｅ」となるまで各立体視画像を移動し、かつ、全体として「ｓ」だけ右に移動した状態を示している。
この場合、基点である左から１番目の立体視画像のｘ座標は、「ｓ」だけ移動している。基点以外の各立体視画像のｘ座標は、「ｓ＋ｎ×ｅ」だけ加算されている。
【００６３】
フレーム３は、各立体視画像間の間隔が、「ｄ＋２ｅ」となるまで各立体視画像を移動し、かつ、全体として初期位置から「２ｓ」だけ右に移動した状態を示している。
この場合、基点である左から１番目の立体視画像のｘ座標は、初期位置から「２ｓ」だけ移動している。基点以外の各立体視画像のｘ座標は、初期の位置より「２ｓ＋ｎ×ｅ」だけ加算されている。
【００６４】
フレーム４は、各立体視画像間の間隔が、「ｄ＋３ｅ」となるまで各立体視画像を移動し、かつ、全体として初期位置から「３ｓ」だけ右に移動した状態を示している。
この場合、基点である左から１番目の立体視画像のｘ座標は、初期位置から「３ｓ」だけ移動している。基点以外の各立体視画像のｘ座標は、初期の位置より「３ｓ＋ｎ×ｅ」だけ加算されている。
以下、同様の手順で、各立体視画像間の間隔が所定の間隔に至るまで、各立体視画像が移動される。特に、右端の立体視画像の移動量が大きいことがわかる。
【００６５】
＜設定処理＞
ステップＳ２では、ＧＵＩ（グラフィカルユーザーインターフェース）により、ユーザが所望の画像を表示させるべく、その設定を行う。
図１６は、そのダイヤログボックスの一例を示したものである。
「１．あなたの瞳孔間距離」欄には、自己の瞳孔間距離を入力する。入力がない場合は、自動的に６ｃｍとすることができる。この瞳孔間距離は、上述した立体視画像の間隔の最小値及び最大値を決定するために用いることができる。
「２．図形間隔の最大値」欄には、ユーザが希望する立体視画像間の間隔の最大値を入力する。但し、「１．あなたの瞳孔間距離」欄に入力した値より大きな値は入力できない。ここも、入力がない場合は自動的に６ｃｍとすることができる。
【００６６】
「３．図形間隔の最小値」欄には、ユーザーが希望する立体視画像の最小間隔を入力する。但し、「１．あなたの瞳孔間距離」欄に入力した値の１／２より小さな値は入力できない。入力がない場合は、３ｃｍとすることができる。
「４．パターン」欄では、立体視画像の移動の形式等を選択をする。所望のチェックボックスにチェックを入れることにより選択することができ、複数選択も可能である。この内容に基づいて、立体視画像は移動等をすることになる。
「５．自動実行の設定」欄では、立体視画像の表示を自動起動とするか、手動起動とするか、をラジオボタンをチェックすることによりを選択する。自動起動の場合は、更に、一定時間の経過を条件とする場合と、一定時間の不使用を条件とする場合と、から選択でき、その時間も設定できる。自動起動にすれば、スクリーンセーバのように利用することができる。
「６．テーマ」欄では、立体視画像の内容を選択する。所望のラジオボタンをチェックする。この際、プレビュー表示がなされ、選択された立体視画像の概要を把握することができる。
以上により、設定処理が終了する。
【００６７】
次に、本発明の他の実施形態について説明する。
図１７は、本発明の他の実施形態である表示制御装置のブロック図である。
この表示制御装置は、テレビモニタ１０１に接続されたビデオ切替器１０２と、２つのビデオ１及び２と、を備える。
ビデオ１は、映画、アニメーション、スポーツ等、ユーザの好みの画像を出力するためのものである。
【００６８】
ビデオ２は、上述した本発明の表示制御装置により表示されるような立体視画像を出力するものである。すなわち、ビデオ２は、複数の画像が略左右方向に配置され、隣接する各々の前記画像の間隔が拡大するように前記画像が移動し、かつ、いずれの前記画像も、隣接する前記画像との間で裸眼立体視が可能な画像を出力するものである。
ビデオ切替器１０２は、ビデオ１又は２からの画像信号のいずれか一方を切り替えてテレビモニタ１０１へ送出するものであり、この切り替えは、手動又は自動で可能である。
【００６９】
この装置では、例えば、子供がビデオ１による映像を長時間視聴しているような場合に、その親がビデオ切替器１０２を切り替えて、ビデオ２の信号をテレビモニタ１０１へ出力するようにすると、眼の緊張を緩和する映像が映し出され、子供の視力低下等を防止し得る。テレビモニタ１０１には、透明フィルムに網目模様を施したシート１０３を貼着することにより、裸眼立体視をやり易くすることができる。
【００７０】
なお、本発明は、前述した実施形態の機能を実現するソフトウェアのプログラムコードを記録した記憶媒体をコンピュータに供給し、そのコンピュータが当該記憶媒体に格納されたプログラムコードを読み出し実行することによっても、達成されることは言うまでもなく、この場合、当該記憶媒体は、本発明たり得る。
【００７１】
【実施例】
以下、実施例及び比較例により本発明を更に詳細に説明する。
【００７２】
＜実施例＞
コンピュータを取り扱う２０才前後の会社員１０名に、本発明の表示制御装置による表示を一定条件下で眺めてもらい、各人の疲労度をＶＡＳ値（Visual Analogue Sccale)により評価した。
眺める時間帯は、仕事の合間であって１時間に１回（１日に８回）、時間は、１回約１分である。これを１週間継続して実施してもらった。
表示の内容は、水平方向に直線的に等間隔で配置した６つの立体視画像を含むカラー画像であり、立体視画像の他に静止画像も表示した。
各立体視画像は、立体視画像間の間隔が広がるように、略０．３ｍ／ｓの速度で移動させた。
その結果を、表１に示す。ＶＡＳ値の平均は３７．５であった。
【００７３】
【表１】
0004468512.tif 000002
【００７４】
＜比較例＞
上記実施例の被験者と、眼の状態、仕事内容等が似通った２０才前後の別の会社員に、本発明の表示制御装置に係る表示を眺めてもらうことなく、普通に１週間仕事をしてもらい、各人の疲労度をＶＡＳ値により評価した。
その結果を、表２に示す。ＶＡＳ値の平均は５９．４であった。
【００７５】
【表２】
0004468512.tif 000003
【００７６】
表２中、各被験者の番号は実施例における被験者の番号に対応しており、年齢、眼の状態等が似通った別人を選抜している。
両者を比較すると、本発明の表示制御装置の表示を眺めた被験者は、自覚的疲労度ＶＡＳ値の平均値が約２０ポイントも低く、疲労が軽減されていることが確認された。
【００７７】
【発明の効果】
以上説明したように、本発明は、簡単に楽しく実施でき、かつ、眼の緊張緩和に好適であるという効果を奏する。
【図面の簡単な説明】
【図１】本発明の一実施形態に係る表示制御装置のブロック図である。
【図２】表示制御装置により実行される処理のフローチャートである。
【図３】（ａ）乃至（ｅ）  ディスプレイ２の表示例である。
【図４】視差をもって表された裸眼立体視可能な図の例である。
【図５】立体画像が奥行き方向に移動して見える原理を説明した図である。
【図６】（ａ）乃至（ｅ）  ディスプレイ２の表示例である。
【図７】（ａ）乃至（ｅ）  ディスプレイ２の表示例である。
【図８】（ａ）乃至（ｅ）  ディスプレイ２の表示例である。
【図９】（ａ）乃至（ｆ）  ディスプレイ２の表示例である。
【図１０】（ａ）乃至（ｆ）  ディスプレイ２の表示例である。
【図１１】（ａ）乃至（ｆ）  ディスプレイ２の表示例である。
【図１２】（ａ）乃至（ｆ）  ディスプレイ２の表示例である。
【図１３】（ａ）乃至（ｅ）  ディスプレイ２の表示例である。
【図１４】立体視画像の移動を説明するための図である。
【図１５】立体視画像の移動を説明するための図である。
【図１６】設定処理のためのダイヤログボックスである。
【図１７】別の実施形態に係る表示制御装置を示す図である。
【図１】
0004468512.tif 000004
【図２】
0004468512.tif 000005
【図３】
0004468512.tif 000006
【図４】
0004468512.tif 000007
【図５】
0004468512.tif 000008
【図６】
0004468512.tif 000009
【図７】
0004468512.tif 000010
【図８】
0004468512.tif 000011
【図９】
0004468512.tif 000012
【図１０】
0004468512.tif 000013
【図１１】
0004468512.tif 000014
【図１２】
0004468512.tif 000015
【図１３】
0004468512.tif 000016
【図１４】
0004468512.tif 000017
【図１５】
0004468512.tif 000018
【図１６】
0004468512.tif 000019
【図１７】
0004468512.tif 000020